(57)【要約】【課題】  伝送距離及び伝送速度の安定性を備えた、波長分割多重システムに適用可能な安定した多波長光送信器を提供する。【解決手段】  相互に異なる波長を有する複数のチャンネルを光信号に多重化して出力するための多波長光送信器であって、内部に受信された該当非干渉性光によって相互に異なる波長を有する複数の波長ロックされたチャンネルを生成するための複数のレーザー１４０と、前記複数のチャンネルを光信号に多重化するための多重化器／逆多重化器１１０と、多重化器／逆多重化器から出力された前記光信号を利得飽和状態で増幅するための半導体光増幅器１５０と、を備える。【選択図】  図１
2005073257.tif 000002
【特許請求の範囲】
【請求項１】
相互に異なる波長を有する複数のチャンネルを光信号に多重化して出力するための多波長光送信器であって、
内部に受信された該当非干渉性光によって相互に異なる波長を有する複数の波長ロックされたチャンネルを生成するための複数のレーザーと、
前記複数のチャンネルを光信号に多重化するための多重化器／逆多重化器と、
該多重化器／逆多重化器から出力された光信号を利得飽和状態で増幅するための半導体光増幅器と、
を備えることを特徴とする多波長光送信器。
【請求項２】
相互に異なる波長を有する複数の非干渉性光を含む広波長帯域を有する光を生成するための広帯域光源と、
前記多重化された光信号を前記半導体光増幅器に出力し、前記広帯域光源から出力された光を前記多重化器／逆多重化器に出力するためのサーキュレータとを備え、
前記多重化器／逆多重化器は、前記広帯域光源から出力された光を、相互に異なる波長を有する複数の非干渉性光に逆多重化して、前記レーザーのそれぞれに出力する請求項１記載の多波長光送信器。
【請求項３】
前記広帯域光源は、エルビウム添加光ファイバ増幅器を備える請求項２記載の多波長光送信器。
【請求項４】
前記多重化器／逆多重化器は、光導波路列格子を備える請求項１記載の多波長光送信器。
【請求項５】
前記レーザーは、それぞれの非干渉性光によって波長ロックされたチャンネルを生成するためのファブリー・ペローレーザーを備える請求項１記載の多波長光送信器。
【請求項６】
下向チャンネルからなる下向光信号を出力し、上向チャンネルを受信するための中央基地局と、該当下向チャンネルを受信し、該当上向チャンネルを出力するための複数の加入者装置と、前記中央基地局と前記加入者装置とを中継するための地域基地局とを備える両方向波長分割多重システムであって、
前記中央基地局は、
上向光信号を上向チャンネルに逆多重化し、相互に異なる波長を有する複数の下向チャンネルを下向光信号に多重化する多重化器／逆多重化器と、
該多重化器／逆多重化器で逆多重化された前記上向チャンネルのそれぞれを検出する複数の光検出器と、
内部に受信された該当非干渉性光によって波長ロックされた下向チャンネルを生成して前記多重化器／逆多重化器に出力する複数のレーザーと、
内部に受信された前記上向光信号及び下向光信号を利得飽和状態で増幅して、前記上向光信号を前記多重化器／逆多重化器に出力し、前記下向光信号を前記地域基地局に出力するための半導体光増幅器と、
前記多重化器／逆多重化器から受信された該当上向チャンネルを該当の光検出器に出力し、該当非干渉性光を該当のレーザーに出力し、該当レーザーから受信された下向チャンネルを前記多重化器／逆多重化器に出力するための複数の波長選択結合器と、
を備えることを特徴とする両方向波長分割多重システム。
【請求項７】
前記中央基地局は、
相互に異なる波長を有する複数の非干渉性光を含む広波長帯域の下向光を出力する下向広帯域光源と、
相互に異なる波長を有する複数の非干渉性光を含む広波長帯域の上向光を出力する上向広帯域光源と、
前記多重化器／逆多重化器と前記半導体光増幅器との間に配置されることによって、前記上向光信号及び下向光を前記多重化器／逆多重化器に出力し、前記下向光信号及び上向光を前記半導体光増幅器に出力するサーキュレータと、
前記下向広帯域光源と前記サーキュレータとの間に配置されることによって、その内部に受信された上向光信号を前記サーキュレータに反射させ、前記下向光を前記サーキュレータに透過させる第１の帯域通過フィルタと、
前記上向広帯域光源と前記サーキュレータとの間に配置されることによって、その内部に受信された下向光信号を前記サーキュレータに反射させ、前記上向光を前記サーキュレータに透過させる第２の帯域通過フィルタと、をさらに備え、
前記多重化器／逆多重化器は、前記下向光を相互に異なる波長を有する複数の非干渉性光に逆多重化して前記波長選択結合器のそれぞれに出力する請求項６記載の両方向波長分割多重システム。
【請求項８】
前記下向広帯域光源は、１５５０ｎｍ波長帯域の自発放出光を出力するエルビウム添加光ファイバ増幅器を使用する請求項７記載の両方向波長分割多重システム。
【請求項９】
前記上向広帯域光源は、１３１０ｎｍ波長帯域の自発放出光を出力するエルビウム添加光ファイバ増幅器を使用する請求項７記載の両方向波長分割多重システム。
【請求項１０】
前記レーザーは、ファブリー・ペローレーザーを使用する請求項６記載の両方向波長分割多重システム。
【請求項１１】
前記地域基地局は、
前記各加入者装置から受信された上向チャンネルを上向光信号に多重化して前記中央基地局に出力し、前記中央基地局から受信された前記上向光信号を相互に異なる波長を有する複数の非干渉性光に逆多重化して該当加入者装置に出力し、前記下向光信号は、複数の下向チャンネルに逆多重化して該当加入者装置に出力する多重化器／逆多重化器を備える請求項６記載の両方向波長分割多重システム。
【請求項１２】
前記地域基地局は、
前記上向光及び下向光信号を逆多重化して前記加入者装置のそれぞれに出力し、前記加入者装置から受信された相互に異なる波長を有する複数の上向チャンネルを上向光信号に多重化して前記中央基地局に出力するための多重化器／逆多重化器を備える請求項６記載の両方向波長分割多重システム。
【請求項１３】
前記地域基地局の多重化器／逆多重化器は、その内部に受信された前記上向光を相互に異なる波長を有する複数の非干渉性光に逆多重化し、前記下向光信号を複数の下向チャンネルに逆多重化して、前記下向チャンネル及び前記非干渉性光を前記加入者装置のそれぞれに出力するための光導波路列格子を備える請求項１２記載の両方向波長分割多重システム。
【請求項１４】
前記各加入者装置は、
該当非干渉性光によって波長ロックされた上向チャンネルを出力するためのレーザーと、
該当下向チャンネルを検出するための光検出器と、
波長ロックされた前記上向チャンネルを前記地域基地局に出力し、前記地域基地局から受信された該当下向チャンネルを前記光検出器に出力し、前記非干渉性光を前記レーザーに出力するための波長選択結合器と、
を備える請求項６記載の両方向波長分割多重システム。
【請求項１５】
前記レーザーは、ファブリー・ペローレーザーを使用する請求項１４記載の両方向波長分割多重システム。
【請求項１６】
受信された該当非干渉性光によって相互に異なる波長を有する複数の波長ロックされたチャンネルを生成するためのステップと、
前記チャンネルが多重化された光信号を出力するためのステップと、
多重化された前記光信号を受信するためのステップと、
前記受信された光信号を利得飽和状態で増幅するためのステップと、を備えることを特徴とする多重化方法。 
【請求項１７】
相互に異なる波長を有する複数の非干渉性光を含む広波長帯域を有する光を生成するためのステップと、
多重化された光信号を出力し、広帯域光源で生成された広波長帯域の光を相互に異なる波長を有する複数の非干渉性光に逆多重化して該当レーザーに出力するためのステップと、
を備える請求項１６記載の多重化方法。 
【請求項１８】
広波長帯域を有する光は、エルビウム添加光ファイバ増幅器を含む広帯域光源によって生成される請求項１７記載の多重化方法。 
【請求項１９】
前記多重化は、光導波路列格子を含む多重化器／逆多重化器によって遂行される請求項１６記載の多重化方法。 
【請求項２０】
該当非干渉性光によって波長ロックされたチャンネルは、ファブリーペローレーザーを含む複数のレーザーによって生成される請求項１６記載の多重化方法。 
【発明の詳細な説明】
【技術分野】
【０００１】
本発明は、波長分割多重システムに関し、特に、複数の相互に異なる波長を有する光を出力することができる多波長光源を含む波長分割多重システムに関する。
【背景技術】
【０００２】
波長分割多重方式の両方向受動型光加入者網(Wavelength Division Multiplexed Passive Optical Network；ＷＤＭ−ＰＯＮ)は、中央基地局と、加入者装置側に隣接するように位置した地域基地局が単一の光ファイバを通じて連結し、複数の加入者装置のそれぞれを前記地域基地局に連結する二重網の構造が一般的である。また、このＷＤＭは、それぞれの加入者装置ごとに相互に異なる固有の波長のチャンネルを割り当てることによって、中央基地局と複数の各加入者装置との間に超高速広帯域通信網を構築する方法である。
【０００３】
その結果、ＷＤＭは、各加入者に優れた保安性を提供し、網の拡張が容易である、というメリットを有している。
【０００４】
ＷＤＭでは、相互に異なる波長を有する複数のチャンネルを生成するための光源として、０分散フィードバックレーザーアレイ(Distributed Feedback Laser Array；ＤＦＢＬ)、多波長レーザー(Multi-Frequency Laser；ＭＦＬ)、スペクトル分割方式の光源(Spectrum-Sliced Light Source)などを使用することができる。 
【０００５】
前述したスペクトル分割方式の光源は、広波長帯域を有する光を生成して当該光を波長分割多重化器／逆多重化器で相互に異なる波長を有する複数のチャンネルに分割して出力するための光源である。ここで、多重化器／逆多重化器は、波長分割多重(Wavelength Division Multiplexer；ＷＤＭ)フィルタ又は光導波路列格子(arrayed waveguide grating；ＡＷＧ)などを含むことができる。従って、前述のスペクトル分割方式の光源は、相互に異なる波長を有する複数のチャンネルを出力することができるのみならず、波長安定化のための別途の波長安定化手段を備えなくてもよい。
【０００６】
スペクトル分割方式の光源としては、発光ダイオード(Light Emitting Diode)、超発光ダイオード(super luminescent diode)、多重モードのファブリー・ペローレーザー(Fabry-Perot Laser)、希土類添加光ファイバ増幅器、及び極超短光パルス光源(ultra-short pulse light source)などが使用され得る。
【０００７】
しかしながら、多重モードのファブリー・ペローレーザーは、安価の高出力素子であるが、その反面、使用できる波長帯域幅が狭く、使用可能なチャンネル数が大きく制限される問題がある。それ以外にも、前述したような希土類添加光ファイバ増幅器、発光ダイオードなどの光源は、広波長帯域を有する非干渉性の光を出力することによって分割可能なチャンネル数が、前述の多重モードのファブリー・ペローレーザーに比べて大きく増加し、一方、多重モードのファブリー・ペローレーザーのような高出力の光を出力することができない。 
【０００８】
また、スペクトル分割方式は、広波長帯域を有する光を相互に異なる波長を有するそれぞれのチャンネルに分割して、当該分割されたチャンネルのそれぞれを高速に変調して伝送する場合に、各チャンネル間で発生する分割雑音(Mode Partition Noise)による雑音発生などによって、伝送距離及び伝送速度が制限される問題点がある。
【発明の開示】
【発明が解決しようとする課題】
【０００９】
上記背景に鑑みて、本発明の目的は、伝送距離及び伝送速度の安定性を備えた、波長分割多重システムに適用可能な安定した多波長光送信器を提供することにある。
【課題を解決するための手段】
【００１０】
このような目的を達成するために、相互に異なる波長を有する複数のチャンネルを光信号に多重化して出力するための多波長光送信器であって、内部に受信された該当非干渉性光によって相互に異なる波長を有する複数の波長ロックされたチャンネルを生成するための複数のレーザーと、前記複数のチャンネルを光信号に多重化するための多重化器／逆多重化器と、該多重化器／逆多重化器から出力された前記光信号を利得飽和状態で増幅するための半導体光増幅器と、を備えることを特徴とする。
【発明の効果】
【００１１】
本発明においては、波長ロックされた複数のチャンネルが多重化された光信号を利得飽和状態の半導体光増幅器で増幅することによって、各チャンネルの分割によるモード分割雑音の補正がなされる。この結果、モード分割雑音による各チャンネルの損失が補償されることにより、伝送速度及び伝送距離の向上が図られる。
【発明を実施するための最良の形態】
【００１２】
以下、本発明の好適な実施形態について添付図面を参照しつつ詳細に説明する。下記説明において、本発明の要旨のみを明瞭するために公知の機能又は構成に対する詳細な説明は省略する。なお、図面中、同一の構成要素及び部分には、可能な限り同一な符号及び番号を共通使用するものとする。
【００１３】
図１は、本発明の第１の実施形態による多波長光送信器の構成を示すブロック図である。図１を参照すると、多波長光送信器１００は、複数のレーザー１４０と、多重化器／逆多重化器１１０と、半導体光増幅器(Semiconductor Optical Amplifier；ＳＯＡ)１５０と、広帯域光源(Broadband Light Source；ＢＬＳ)１２０と、サーキュレータ１３０と、を備える。
【００１４】
ＢＬＳ１２０は、広波長帯域を有する光を出力するための希土類添加光ファイバ増幅器または発光ダイオードなどを含むことができる。当該光は、多重化器／逆多重化器１１０で相互に異なる波長を有する複数の非干渉性光に逆多重化された後に、レーザー１４０のそれぞれに入力される。
【００１５】
図２乃至図４は、図１に示したレーザーが波長ロックされたチャンネルを生成する動作を説明するためのグラフである。レーザー１４０のそれぞれは、その内部に入力された該当（対応）する非干渉性光によって波長ロックされたチャンネルを生成する。各レーザー１４０は、ファブリー・ペローレーザー(Fabry-Perot Laser)などを含むことができる。
【００１６】
図２を参照すると、前述したファブリー・ペローなどのレーザーは、すでに設定された波長帯域の相互に異なる波長を有するチャンネルλ−ｎ〜λｎを生成する共振特性を有する。
【００１７】
図３及び図４を参照すると、前述のファブリー・ペローレーザーは、複数のチャンネルλ-ｎ〜λｎのうちでその内部に入力された非干渉性光波λ０と一致する波長のチャンネルλ０をその外部に出力する波長ロック特性を示す。すなわち、前述したファブリー・ペローレーザーでは、波長ロックによって生成されたチャンネルλ０を中心としてその周辺のチャンネル強度が抑制され、その結果、従来のモード分割雑音及び光ファイバの色分散効果(Dispersion effect)などによる伝送性能の低下が防止される。
【００１８】
図５は、本発明との比較のための、従来技術による比較例として、多重モードのチャンネルの雑音特性を示すグラフであり、図６は、図１に示したレーザーで波長ロックによって生成されたチャンネルの雑音特性を示すグラフである。
【００１９】
図５及び図６を参照すると、従来のファブリー・ペローレーザーは、約−１２０〜−１３０ｄＢｍ／Ｈｚの範囲内の雑音を有し、一方、本発明を適用した波長ロックされたチャンネルは、約−１００〜−１１０ｄＢｍ／Ｈｚの雑音を有することによって、雑音がさらに増加される。
【００２０】
さらに、前述したような波長ロックによって生成されたチャンネルλ０は、前記チャンネルの周辺に抑制されたチャンネル間の強度差異である隣接モード抑制率(Side Mode Suppression Ratio；ＳＭＳＲ)が高くなることによって、チャンネルの伝送性能の低下を防止する。また、多重化された光信号は、利得飽和状態のＳＯＡ１５０で増幅されることによって、各チャンネル間の強度差異による相対強度雑音(Relative Intensity Noise；ＲＩＮ)も減少する。
【００２１】
多重化器／逆多重化器１１０は、レーザー１４０のそれぞれから受信された波長ロックされたチャンネルを光信号に多重化してサーキュレータ１３０に出力し、サーキュレータ１３０から受信された広波長帯域を有する光を相互に異なる波長を有する複数の非干渉性光に逆多重化して、該当（対応）するレーザー１４０に出力する。多重化器／逆多重化器１１０は、光導波路列格子などを使用することができる。
【００２２】
サーキュレータ１３０の３本のポートは、ＳＯＡ１５０、多重化器／逆多重化器１１０、及びＢＬＳ１２０のそれぞれに連結される。サーキュレータ１３０は、多重化器／逆多重化器１１０から受信された前記多重化された光信号をＳＯＡ１５０に出力し、ＢＬＳ１２０から受信された広波長帯域を有する光を多重化器／逆多重化器１１０に出力する。
【００２３】
図７は、図１に示したＳＯＡの利得飽和領域に入力された多重化された光信号及びＳＯＡで増幅された多重化された光信号の相対的強度雑音の変化を示すグラフであり、図８は、本発明と従来技術との比較例として、本発明のビットエラー率と従来のビットエラー率とを比較するためのグラフである。
【００２４】
図７を参照すると、ＳＯＡ１５０は、サーキュレータ１３０から受信された多重化された光信号を増幅して出力し、前記多重化された光信号のパワーに従って増幅された光信号の強度が徐々に増加する一般領域と、前記受信された光信号に比べて増幅された光信号の増幅率が一般領域に比べて減少される利得飽和領域とに区分されることができる。
【００２５】
前述した利得飽和領域は、ＳＯＡ１５０に入力される光信号のパワーが増加するほど、ＳＯＡ１５０に供給された電荷の誘導放出で消耗される電荷量がＳＯＡ１５０に供給される電荷量の増加による現象である。
【００２６】
ＳＯＡ１５０の利得飽和領域は、その内部に受信される光信号のパワーがＳＯＡ１５０が増幅することができる最大増幅容量に隣接したパワーになるようにするか、またはＳＯＡ１５０に印加される駆動電流を増加させることによって形成されることができる。
【００２７】
すなわち、本発明によれば、ＳＯＡ１５０を利得飽和領域で動作させることによって、その内部に受信された波長ロックされた各チャンネルが多重化された光信号の相対的強度雑音(relative intensity noise)を最小化させる。
【００２８】
図８は、１００ｍＡの駆動電流が印加された利得飽和状態(１；▲)のＳＯＡ１５０と、２００ｍＡの駆動電流が印加された利得飽和状態(２；●)のＳＯＡ１５０と、従来の一般光源(３；■)のそれぞれで生成されたチャンネルのビット当たりエラー率(Bit Per Error Rate)を比較したグラフである。図８を参照すると、１００ｍＡ及び２００ｍＡの駆動電流がそれぞれ印加された利得飽和状態のＳＯＡ１５０のチャンネルのビット当たりエラー率は、従来の一般光源の各チャンネルのビット当たりエラー率を超過する。すなわち、−３４ｄＢｍの雑音で、 従来の光源から出力されたチャンネルは、６〜５のビット当たりエラー率を示す。一方、本発明は、２００ｍＡの駆動電流が印加された場合に、ＳＯＡ１５０から出力されたチャンネルは、１０〜９のビット当たりエラー率を示す。また、１００ｍＡの駆動電流が印加された場合にも、ＳＯＡ１５０から出力されたチャンネルは、９〜８のビット当たりエラー率を示す。
【００２９】
図９は、本発明の第２の実施形態による多波長光送信器を含む両方向波長分割多重システムの構成を示すブロック図である。図９を参照すると、本実施形態の両方向波長分割多重システムは、下向光信号を出力して上向チャンネルを検出する中央基地局２００と、それぞれの下向チャンネルを検出して上向チャンネルを出力する複数の加入者装置４００と、中央基地局２００と加入者装置４００を中継する地域基地局３００と、を含む。
【００３０】
中央基地局２００は、下向光を出力する下向ＢＬＳ２４０、上向光を出力する上向ＢＬＳ２５０と、複数の下向チャンネルを下向光信号に多重化させるための多重化器／逆多重化器２６０と、サーキュレータ２７０と、第１の帯域通過フィルタ２４１と、第２の帯域通過フィルタ２５１と、逆多重化された上向チャンネルのそれぞれを検出するための複数の光検出器２２１及び２２２と、複数のレーザー２１１及び２１２と、ＳＯＡ２８０と、複数の波長選択結合器２３１及び２３２とを含む。
【００３１】
下向ＢＬＳ２４０は、広波長帯域を有する下向光を出力し、上向ＢＬＳ２５０は、上向光を出力する。下向ＢＬＳ２４０から出力される下向光としては、１５５０ｎｍの波長帯域での相互に異なる波長を有する非干渉性光とし、これによって、中央基地局２００が加入者装置４００のそれぞれに伝送するための波長ロックされた下向チャンネルを出力することができるようにする。一方、上向ＢＬＳ２５０から出力される上向光としては、１３１０ｎｍの波長帯域での相互に異なる波長を有する非干渉性光とし、これによって、加入者装置４００のそれぞれが中央基地局２００に波長ロックされた上向チャンネルを出力することができるようにする。これら上向ＢＬＳ２４０及び下向ＢＬＳ２５０としては、希土類添加光ファイバ増幅器または発光ダイオードなどが使用可能である。
【００３２】
複数のレーザー２１１〜２１２のそれぞれは、その内部に受信された該当非干渉性光によって波長ロックされた下向チャンネルを生成して、多重化器／逆多重化器２６０に出力する。これらレーザー２１１〜２１２としては、ファブリー・ペローレーザーが使用可能である。
【００３３】
多重化器／逆多重化器２６０は、地域基地局３００から受信された上向光信号を、相互に異なる波長を有する複数の上向チャンネルに逆多重化して出力する。また、多重化器／逆多重化器２６０は、複数のレーザー２１１〜２１２のそれぞれから受信された下向チャンネルを、下向光信号に多重化して出力する。ここで、下向光信号は、上記下向光の波長帯域と同一の波長帯域を使用し、また、多重化器／逆多重化器２６０としては、光導波路列格子などが使用可能である。さらに、多重化器／逆多重化器２６０は、前記下向光を相互に異なる波長を有する複数の非干渉性光に逆多重化して、複数の波長選択結合器２３１〜２３２のそれぞれに出力する。
【００３４】
複数の波長選択結合器２３１〜２３２は、それぞれ、多重化器／逆多重化器２６０から受信された前記上向光信号を該当（対応）する光検出器２２１〜２２２に出力し、逆多重化された前記非干渉性光のそれぞれを、該当（対応）するレーザー２１１〜２１２に出力する。また、複数の波長選択結合器２３１〜２３２は、それぞれ、該当（対応）するレーザー２１１〜２１２から受信された下向チャンネルを多重化器／逆多重化器２６０に出力する。
【００３５】
複数の光検出器２２１〜２２２の各々は、対応する波長選択結合器２３１〜２３２から受信された上向チャンネルのそれぞれを検出する。これら光検出器２２１〜２２２としては、フォトダイオードなどの受光素子が使用可能である。
【００３６】
ＳＯＡ２８０は、その内部に受信された前記上向光信号及び下向光信号を利得飽和状態で増幅し、増幅後の上向光信号を多重化器／逆多重化器２６０に出力し、増幅後の下向光信号を地域基地局３００に出力する。
【００３７】
サーキュレータ２７０は、多重化器／逆多重化器２６０とＳＯＡ２８０との間に配置されることによって、前記上向光信号及び下向光を多重化器／逆多重化器２６０に出力し、前記下向光信号及び上向光をＳＯＡ２８０に出力する。
【００３８】
第１の帯域通過フィルタ２４１は、下向ＢＬＳ２４０とサーキュレータ２７０との間に配置されることによって、その内部に受信された上向光信号をサーキュレータ２７０に反射させ、前記下向光をサーキュレータ２７０に伝送させる。
【００３９】
第２の帯域通過フィルタ２５１は、上向ＢＬＳ２５０とサーキュレータ２７０との間に配置されることによって、その内部に受信された下向光信号をサーキュレータ２７０に反射させ、前記上向光をサーキュレータ２７０に伝送させる。
【００４０】
地域基地局３００は、中央基地局２００から受信された上向光を相互に異なる波長を有する複数の非干渉性光に逆多重化し、前記下向光信号を相互に異なる波長を有する複数の下向チャンネルに逆多重化して、加入者装置４００のそれぞれに出力する多重化器／逆多重化器３２４を含む。また、多重化器／逆多重化器３２４は、加入者装置４００のそれぞれから受信された前記上向チャンネルを上向光信号に多重化して中央基地局２００に出力する。光導波路列格子などは、多重化器／逆多重化器３２４として使用されることができる。
【００４１】
複数の加入者装置４００のそれぞれは、該当（対応）する非干渉性光によって波長ロックされた上向チャンネルを出力するレーザー４３１と、地域基地局３００から受信された該当（対応）する下向チャンネルを検出する光検出器４２１と、波長選択結合器４１１とを含む。
【００４２】
レーザー４３１は、ファブリー・ペローレーザーなどを含むことができ、光検出器４２１は、フォトダイオードなどの受光型素子を含むことができる。
【００４３】
波長選択結合器４１１は、レーザー４３１から受信された前記上向チャンネルを地域基地局３００に出力し、地域基地局３００から受信された前記下向チャンネルを光検出器４２１に出力する。また、波長選択結合器４１１は、地域基地局３００から受信された該当（対応）する非干渉性光をレーザー４３１に出力する。
【００４４】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲及び該範囲と均等なものにより定められるべきである。
【図面の簡単な説明】
【００４５】
【図１】本発明の第１の実施形態による多波長光送信器の構成を示すブロック図である。
【図２】図１に示したレーザーで波長ロックされる以前に自体共振によって生成された複数のチャンネルを含む多波長光の波長分布を示すグラフである。
【図３】図１に示したレーザーで波長ロックされたチャンネルを誘導するために入力される非干渉性光を示すグラフである。
【図４】図１に示したレーザーで波長ロックによって生成されたチャンネルの波形を示すグラフである。
【図５】本発明を比較するための従来技術の比較例として多重モードのチャンネルの雑音特性を示すグラフである。
【図６】図１に示したレーザーで波長ロックによって生成されたチャンネルの雑音特性を示すグラフである。
【図７】図１に示したＳＯＡの利得飽和領域に入力される多重化された光信号及びＳＯＡで増幅された多重化された光信号の相対的強度雑音の変化を示すグラフである。
【図８】本発明と従来技術との比較例として本発明のビットエラー率と従来のビットエラー率を比較するグラフである。
【図９】本発明の第２の実施形態による多波長光送信器を含む両方向波長分割多重システムの構成を示すブロック図である。
【符号の説明】
【００４６】
１００  多波長光送信器
１４０  レーザー
１１０  多重化器／逆多重化器
１５０  半導体光増幅器(ＳＯＡ)
１２０  広帯域光源(ＢＬＳ)
１３０  サーキュレータ
２００  中央基地局
３００  地域基地局
４００  加入者装置
２６０  多重化器／逆多重化器
２２１〜２２２  光検出器
２１１〜２１２  レーザー
２８０  半導体光増幅器(ＳＯＡ)
２３１〜２３２  波長選択結合器
【図１】
2005073257.tif 000003
【図２】
2005073257.tif 000004
【図３】
2005073257.tif 000005
【図４】
2005073257.tif 000006
【図５】
2005073257.tif 000007
【図６】
2005073257.tif 000008
【図７】
2005073257.tif 000009
【図８】
2005073257.tif 000010
【図９】
2005073257.tif 000011